(57)【特許請求の範囲】
【請求項１】
受信状態に応じてダイバーシティ動作を行うテレビジョン受信機であって、受信信号からコンポジットビデオ信号及び音声信号を復調する復調手段と、前記コンポジットビデオ信号における垂直同期信号のタイミングを検知する垂直タイミング検出手段と、前記音声信号の歪みが所定レベルを超えたことを判断して歪み検出信号を発生する歪み検出手段と、前記垂直タイミング検出手段により検知されたタイミングに基づいて映像ダイバーシティ動作を実行させるとともに、前記歪み検出信号に応答して音声ダイバーシティ動作を実行させる制御手段と、を有し、前記制御手段は、前記歪み検出信号が発せられてから所定期間に亘って前記映像ダイバーシティ動作を禁止することを特徴とするテレビジョン受信機。
【請求項２】
前記映像ダイバーシティ動作と前記音声ダイバーシティ動作とで互いに相反する受信モードが選択され当該受信モードが交互に繰り返され続ける状態をループとして検出するループ検出手段をさらに有し、前記制御手段は、前記ループが検出された場合に前記音声ダイバーシティ動作を禁止することを特徴とする請求項１記載のテレビジョン受信機。
【請求項３】
前記歪み検出手段は、前記音声信号の歪み成分の急峻な増大変化を検出する微分手段を含み、前記微分手段の微分出力に基づいて前記歪み検出信号を発生することを特徴とする請求項１または２記載のテレビジョン受信機。
【請求項４】
前記歪み検出手段は、前記音声信号が供給される帯域通過フィルタと、前記帯域通過フィルタの出力信号が供給される振幅検波回路と、前記振幅検波回路の出力信号波形の立ち上がり成分を抽出する微分回路と、前記微分回路の抽出成分レベルと基準値とを比較し前記抽出成分レベルが前記基準値よりも大なるときに有意となる歪み検出信号を発生する比較器と、を有することを特徴とする請求項１ないし３記載のうちいずれか１つに記載のテレビジョン受信機。
【請求項５】
前記映像及び音声のダイバーシティ動作は、複数の受信アンテナのうちのいずれかを選択してそれによる受信モードの変更をなす空間ダイバーシティの動作であることを特徴とする請求項１ないし４記載のうちいずれか１つに記載のテレビジョン受信機。
【請求項６】
選択すべき受信アンテナの識別情報を保持する保持手段を有し、前記制御手段は、前記保持手段の保持内容を前記歪み検出信号に応答して変更せしめることを特徴とする請求項１ないし５記載のうちいずれか１つに記載のテレビジョン受信機。
【請求項７】
前記映像ダイバーシティ動作においては、前記保持手段に保持された識別情報に対応する受信アンテナによる受信モードから受信モードの評価を開始することを特徴とする請求項６記載のテレビジョン受信機。
【発明の詳細な説明】
【０００１】
【発明の属する技術分野】
本発明は、ダイバーシティ機能を有するテレビジョン受信機に関する。
【０００２】
【従来の技術】
移動体例えば車両において設置または使用される車載テレビジョン受信機などは、耐マルチパス方式としてのダイバーシティを行う機能を持ち合わせ、受信環境への自動的な追従動作を実現している。
複数のアンテナによって空間ダイバーシティ動作をなす受信機においては、これらアンテナからの出力の受信を選択的に切り替え可能な切替部が設けられ、この切替部をしてアンテナを順次選択せしめ、各アンテナから得られる受信テレビジョン信号のレベルを検出し、その検出レベルのうちの最も大なるレベルが得られるアンテナを切替部をして最終的に選択確定せしめる制御がなされる。ここで、かかる制御におけるアンテナの切り換えは、テレビジョン信号の垂直帰線消去期間においてなされるのが望ましい。何故なら、テレビジョン信号における垂直帰線消去期間以外の部分には実際に表示される画像情報を担う信号が存在するので、この部分でレベル検出やアンテナの切り換えを行うと、画面上にノイズ（白く細長いノイズ）となって現れてしまうからである。
【０００３】
しかしながら、このような考慮だけの下にダイバーシティ動作を行ったとしても必ずしも良好な結果が得られるとは言い難い。
テレビジョン受信機は、画像及び音声の双方につき再生出力するものであり、画像にばかり良質な再生をなすべく空間ダイバーシティ動作のための上記アンテナの切り換えを行えば、音声においてその切り換えノイズが発生するという裏腹の面があるので、却って音声品質の低下を誘発してしまうこともある。また、かかる切り換えノイズが発生しなくとも、空間ダイバーシティ動作によって実際に視聴者に与える画像品質が変わらなかったり逆に低下してしまったような逆効果を奏してしまうこともあり得る。
【０００４】
このように、画像の他に音声を含めた再生情報全体の実際の視聴者に対する品質面において、上記アンテナの切り換え形態を如何にすれば最適なものとなるかにつき、技術的に取り組む余地が残されているのである。
【０００５】
【発明が解決しようとする課題】
よって本発明は、上述した点に鑑みてなされたものであり、その主たる目的とするところは、音声を含めた再生情報全体の実際の視聴者に対する品質面において最適なダイバーシティ動作を行うことのできるテレビジョン受信機を提供することである。
【０００６】
【課題を解決するための手段】
本発明の一態様による受信機は、受信状態に応じてダイバーシティ動作を行うテレビジョン受信機であって、受信信号からコンポジットビデオ信号及び音声信号を復調する復調手段と、前記コンポジットビデオ信号における垂直同期信号のタイミングを検知する垂直タイミング検出手段と、前記音声信号の歪みが所定レベルを超えたことを判断して歪み検出信号を発生する歪み検出手段と、前記垂直タイミング検出手段により検知されたタイミングに基づいて映像ダイバーシティ動作、すなわち第１ダイバーシティ動作を実行させるとともに、前記歪み検出信号に応答して音声ダイバーシティ動作、すなわち第２ダイバーシティ動作を実行させる制御手段と、を有し、前記制御手段は、前記歪み検出信号が発せられてから所定期間に亘って前記映像ダイバーシティ動作を禁止することを特徴としている。
【０００７】
この態様の受信機において、前記第１ダイバーシティ動作と前記第２ダイバーシティ動作とで互いに相反する受信モードが選択され当該受信モードが交互に繰り返され続ける状態をループとして検出するループ検出手段をさらに有し、前記制御手段は、前記ループが検出された場合に前記第２ダイバーシティ動作を禁止するようにすることもできる。
【０００８】
さらに、前記歪み検出手段は、前記音声信号の歪み成分の急峻な増大変化を検出する微分手段を含み、前記微分手段の微分出力に基づいて前記歪み検出信号を発生するようにすることもできる。
また、上述の各態様において、前記歪み検出手段は、前記音声信号が供給される帯域通過フィルタと、前記帯域通過フィルタの出力信号が供給される振幅検波回路と、前記振幅検波回路の出力信号波形の立ち上がり成分を抽出する微分回路と、前記微分回路の抽出成分レベルと基準値とを比較し前記抽出成分レベルが前記基準値よりも大なるときに有意となる歪み検出信号を発生する比較器と、を有するようにすることもできる。
【０００９】
そして、前記第１及び第２のダイバーシティ動作は、複数の受信アンテナのうちのいずれかを選択してそれによる受信モードの変更をなす空間ダイバーシティの動作に限定することも可能である。
また、選択すべき受信アンテナの識別情報を保持する保持手段を有し、前記制御手段は、前記保持手段の保持内容を前記歪み検出信号に応答して変更せしめることをもできる。
【００１０】
さらに、前記第１ダイバーシティ動作においては、前記保持手段に保持された識別情報に対応する受信アンテナによる受信モードから受信モードの評価を開始するようにすることができる。
【００１１】
【発明の実施の形態】
以下、本発明の実施の形態を図面を参照しつつ詳細に説明する。
図１は、本発明による一実施例のダイバーシティ型テレビジョン受信機の概略構成を示している。
図１において、この受信機は、例えば車載用の受信機の如き移動されつつ使用されるタイプのものであり、空間ダイバーシティを実現するための４つの受信アンテナＡＮＴ1〜ＡＮＴ4を備えまたはこれらの受信信号出力端と接続され、各アンテナは切替器（ＲＦ−ＳＷ）１に電気的に結合されている。切替器１は、４つのアンテナのうちのいずれか１つの受信出力を選択し、選択したアンテナからのＲＦ（Radio Frequency）信号を受信信号としてビデオ信号再生系２に供給する。
【００１２】
ビデオ信号再生系２は、復調手段を担い、切替器１からの受信信号を中間周波信号に変換するフロントエンドたる同調器（図示せず）と、中間周波信号を増幅する映像中間周波増幅器２１と、増幅器２１によって増幅された中間周波信号をＡＭ（Amplitude Modulation）復調してコンポジットビデオ信号を再生するＡＭ検波回路２２とを含む。コンポジットビデオ信号は、図示せぬ種々の再生回路及び増幅回路を経て表示器としてのＣＲＴ（Cathode-Ray Tube）２ｘに供給される。ＣＲＴ２ｘは、コンポジットビデオ信号に応じた画像表示をなす。表示器としては、ＣＲＴ以外にも液晶ディスプレイ等も適用可能である。
【００１３】
映像中間周波増幅器２１に供給される受信信号には、ビデオ信号の他に音声信号も含まれており、映像中間周波増幅器２１において音声中間周波信号が取り出され音声信号再生系３に供給される。音声信号再生系３は、音声中間周波信号を増幅する音声中間周波増幅器３１と、増幅器３１によって増幅された中間周波信号をＦＭ（Frequency Modulation）復調してコンポジット音声信号を再生するＦＭ検波回路３２とを含む。コンポジット音声信号は、図示せぬ種々の再生回路及び増幅回路を経て音響出力器としてのスピーカ３ｘに供給される。スピーカ３ｘは、コンポジット音声信号に応じた音響出力をなす。
【００１４】
ビデオ信号再生系２からのコンポジットビデオ信号は、クランプ回路４０によってそのシンクチップのレベルを一定にされつつ波形整形回路４１及び制御部５にも供給される。
波形整形回路４１は、供給されたコンポジットビデオ信号から純然たるビデオ情報を担う成分（以下、適宜「ビデオ信号」と呼ぶ）を除き各種同期信号及び帰線消去信号のみを含むコンポジット同期信号を生成し、これを低域通過フィルタ（ＬＰＦ）６０に供給する。ＬＰＦ６０により、当該コンポジット同期信号における等化パルスによる２ｆH （ｆH は水平同期周波数）の成分が排除され、コンポジット同期信号の高域成分が減衰される。従ってＬＰＦ６０の出力からは、ｆH の周波数成分に応じた信号が得られることとなる。ＬＰＦ６０の出力は、位相比較器６１の一方の入力端に供給される。位相比較器６１は、一方の入力信号と他方の入力信号とを比較し両者の位相差に応じた位相誤差信号をＬＰＦ６２へ出力する。ＬＰＦ６２を経た位相誤差信号は、制御信号としてＶＣＯ（Voltage-Controlled Oscillator）６３に供給される。
【００１５】
ＶＣＯ６３は、中心周波数を３２ｆH とし、供給される制御信号に応じてその中心周波数から偏倚させて発振し、その発振出力信号を制御部５及び分周器６４に供給する。分周器６４は、ＶＣＯ６３からの発振出力信号を分周しｆH の周波数を有する信号を生成しこれを制御部５及び位相比較器６１の他方の入力端に供給する。位相比較器６１，ＬＰＦ６２，ＶＣＯ６３及び分周器６４は、いわゆる位相同期ループ（ＰＬＬ）を形成し、受信したコンポジットビデオ信号の水平同期周波数に追従し、当該コンポジットビデオ信号の水平同期信号に同期したクロック信号を生成する。
【００１６】
波形整形回路４１からのコンポジット同期信号はまた、反転回路８１にも供給される。反転回路８１によって反転されたコンポジット同期信号は、ＬＰＦ８２を介してレベル比較器８３の一方の入力端に供給される。比較器８３は、ＬＰＦ８２の出力信号すなわちコンポジット同期信号の積分出力を基準電圧レベルＶr と比較し、ＬＰＦ８２の出力信号が基準電圧レベルＶr よりも大なるときにのみ高レベルとなる信号を生成しこれを制御部５に供給する。生成されたこの高レベル信号は、垂直同期信号と同等の周波数（ｆv ）を有するので、反転回路８１，ＬＰＦ８２及び比較器８３によって、コンポジット同期信号から垂直同期信号が検知されたことになる（以下、比較器８３の出力信号を等価垂直同期信号と呼ぶ）。
【００１７】
音声信号再生系３からのコンポジット音声信号は、歪み検出回路３Ａにも供給される。歪み検出回路３Ａは、感度調整信号に応じた感度にて、コンポジット音声信号のマルチパスによる歪みを検出し、その検出レベルに応じた信号を制御部５へ供給する。コンポジット音声信号には、ステレオ放送や２か国語放送に対応するための各チャンネル信号や制御信号が含まれる。
【００１８】
制御部５にはまた、切替器（ＲＦ−ＳＷ）１に内蔵するアンテナ未接続検出回路により発生された検出信号が供給される。アンテナ未接続検出回路は、切替器１の内部信号に基づいてアンテナＡＮＴ1〜ＡＮＴ4の何れが当該切替器に接続されていないかを識別し、その識別結果に応じた検出信号をアンテナ接続情報として発生する。
【００１９】
制御部５は、マイクロコンピュータ等によって構成可能であり、供給された信号及び与えられた情報に基づいて受信機各部の制御を行う。
かかる制御には、コンポジットビデオ信号の垂直帰線期間におけるペデスタルレベルの検出に基づいて最適な受信アンテナを選定する処理の他、かかるアンテナ選定処理を起動するＱＶパルスの生成処理などが含まれる。アンテナ選定処理においては、制御部５がアンテナ切換信号ＳＥＬ１〜ＳＥＬ４を切替器１に供給し、切替器１は、このアンテナ切換信号に応じてアンテナＡＮＴ1〜ＡＮＴ4のいずれか１つの出力をビデオ信号再生系２へ中継することとなる。
【００２０】
アンテナ選定処理の起動をなすＱＶパルスの生成回路は、図２に示される。
図２において、ＱＶパルス生成回路５０及びその周辺回路は、制御部５内に形成される。ＱＶパルス生成回路５０は、４つのＤ型フリップフロップ５００〜５０３と、ＡＮＤ回路５０４と、ＮＯＴ回路５０５及び５０６と、所定数のＤ型フリップフロップ群５０９とで構成される。
【００２１】
また、クロック生成部６５は、ＶＣＯ６３から入力される３２ｆH のマスタークロックを分周することで１／（２ｆH ）の周期のクロック信号を生成する。ＱＶパルス生成回路５０に入力される等価垂直同期信号ｆv は、この２ｆH のクロック信号の周期でＤフリップフロップ５００〜５０３にてサンプリングされる。このとき、等価垂直同期信号ｆv は、既に比較手段８３にて２値化されているので、各Ｄフリップフロップでは、低レベル（Ｌ）または高レベル（Ｈ）を示すいずれかの信号がサンプリングされることになる。
【００２２】
Ｄフリップフロップ５００〜５０３及びＮＯＴ回路５０５並びにＡＮＤ回路５０４は、ノイズなどによる垂直同期信号の誤検出を抑制するために、連続するサンプルデータを用いて垂直同期信号の発生を検出する。
以下にその動作を説明する。
本実施例によるこの回路は受信信号がＮＴＳＣ方式のものである場合を前提としており、Ｄフリップフロップ５０３、５０２、５０１、５００の出力が、それぞれＬ、Ｈ、Ｈ、Ｈとなったときに初めて、ＡＮＤ回路５０４から垂直同期信号の検出を示す高レベルのＱパルスが出力されるようにしている。
【００２３】
この様子を示したのが図３の波形図である。
図示のように等価垂直同期信号が発生すると、図中の三角印に対応する２ｆH のクロック信号の周期長の期間でＡＮＤ回路５０４の各入力が高レベルとなりＱパルスが出力される。
発生したＱパルスは、Ｄフリップフロップ群５０９にて所定時間遅延させられ、ＱＶパルスとして出力される。この所定時間は、Ｑパルスの検出から実際にアンテナ選定処理を開始するまでの時間に相当し、本例では、２ｆH のクロック信号の３．５周期分としている。
【００２４】
また、本実施例では、一例として、Ｄフリップフロップ５００〜５０３を使い、Ｄフリップフロップを４個使用した構成を示したが、誤検出を更に抑制したいのであれば、ここで使うＤフリップフロップの数を更に増やすことが有効である。
なお、多重放送波の場合、図３にコンポジット同期信号に点線にて示される如く垂直同期信号の終端から６つ目の等化パルス周期後において多重放送信号が重畳される可能性があり、この多重放送信号の重畳部の前において後述のアンテナ選定処理を全て完了させるべく当該処理の起動信号であるＱＶパルスを出力させている。
【００２５】
上述の如くして得られるＱＶパルスは、以下に説明されるアンテナ選定処理の起動信号として用いられる。
図４は、アンテナ選定処理回路の構成を示している。この回路は、ＱＶパルスに応答してダイバーシティ動作としてのアンテナ選定処理を開始させる機能を担うものであり、制御部５内に形成される。
【００２６】
図４において、ＡＭ検波回路２２からのコンポジットビデオ信号は、Ａ／Ｄ（アナログ／ディジタル）変換器５１０に供給される。Ａ／Ｄ変換器５１０は、コンポジットビデオ信号をタイミングコントロール部５１１によって指示されるサンプリングタイミング毎にディジタル変換し、そのディジタル出力を判定回路５１３に送る。
【００２７】
注記するに、本実施例に適用されるこのＡ／Ｄ変換器５１０は、そのディジタル変換における分解能が、アンテナ受信レベルに換算して２ｄＢ程度若しくはそれ以上に粗く設定されている。これは、下記の理由による。
すなわち、現在選択中のアンテナの受信レベルより高い受信レベルを有するアンテナに切り替えたとしても、そのレベル差が約２ｄＢ以内であれば再生画像において視覚的にはほとんど改善がみられず、逆にアンテナを切り替えずに現状のアンテナを維持する方が音声系へのノイズの面で有利であることが分かった。このことにより、ダイバーシティのアンテナ切り替え制御においては、高い分解能でコンポジットビデオ信号のペデスタルレベルをＡ／Ｄ変換する必要がないとの結論に達した。
【００２８】
したがって、本実施例では、ペデスタルレベルをディジタル値に変換するＡ／Ｄ変換の分解能をアンテナ受信レベルに換算して２ｄＢ若しくはそれより粗く設定し、少々受信レベルが高いぐらいではアンテナの切り替えがなされないように構成し、アンテナの頻繁な切り替わりによる再生画像上のちらつきや音声ノイズの低減を図っているのである。
【００２９】
判定回路５１３は、各受信モードの評価をなす手段と言い得る。詳述すれば、判定回路５１３は、アンテナ選定処理においてプリセット値または前のＡ／Ｄ変換出力の値よりも良好と判断されたＡ／Ｄ変換出力の値を現在最良ペデスタルレベルとして記憶保持するバンク５２１と、Ａ／Ｄ変換出力の値とバンク５２１に記憶された値とを比較し前者が後者と等しいかまたは後者よりも小さいとき（現在選択されているアンテナの受信レベルがそれより前に選択されたアンテナの受信レベルよりも大のとき）にのみラッチ指示信号を発生するコンパレータ５２２と、コンパレータ５２２からのラッチ指示信号に応答して当該ラッチ指示信号が発せられたときのＡ／Ｄ変換出力の値を呈したアンテナの番号データを現在最良アンテナ識別情報として取り込む保持部５２３とによって構成される。保持部５２３は、アンテナ切替器１（図１参照）におけるアンテナ接続可能数に対応する４ビット構成のシフトレジスタからなる。
【００３０】
バンク５２１は、コンパレータ５２２からのラッチ指示信号に応答してＡ／Ｄ変換出力の値にその記憶内容を更新する。
一方、コンパレータ５２２は、Ａ／Ｄ変換出力の値がバンク５２１に記憶された値よりも大きいときにはラッチ指示信号を発生せず、バンク５２１の更新は行われずかつ保持部５２３におけるアンテナ番号の取込もなされず、もってそれまでの保持内容をそれぞれ持続する。
【００３１】
したがってバンク５２１と保持部５２３には、Ａ／Ｄ変換器５１０のサンプリング動作の度にそれまでの最良のペデスタルレベルと当該最良ペデスタルレベルを呈したアンテナの番号が更新または保持されることとなる。
コンパレータ５２２はまた、Ａ／Ｄ変換出力の値とバンク５２１に記憶された値との１回分の比較が終了すると、その旨を知らせる判定終了信号を発生し、タイミングコントロール部５１１に供給する。保持部５２３に供給されるアンテナ番号データは、アンテナ切替制御回路５１２から送られる。
【００３２】
アンテナ切替制御回路５１２は、２つのアンテナ対応４ビット構成のレジスタを有する。１つは、アンテナ選定処理に移る直前において確定し接続していたアンテナの番号データまたはアンテナ選定処理に拘わらず後述する音声ノイズの検出に応答して確定されたアンテナの番号データを保持するアンテナ対応４ビット構成のレジスタ５２４であり、もう１つは、アンテナ選定処理の過程において順次選択接続されるアンテナの番号または音声ノイズの検出に応答して選択接続されたアンテナの番号を示すシフトレジスタ５２５である。シフトレジスタ５２５は、選択すべき受信アンテナの識別情報を保持するための保持手段を担う。
【００３３】
アンテナ切替制御回路５１２はまた、レジスタ５２４の出力データ及びシフトレジスタ５２５のパラレル出力データ並びに所定の４ビットデータ例えば図示の如き論理値“００００"のデータのうちのいずれかのデータを選択的に出力する切替回路５２９と、この切替回路５２９の出力データを受信してこれに応じたアンテナ切換信号ＳＥＬ１〜ＳＥＬ４を生成する出力段５２８と、レジスタ５２４及びシフトレジスタ５２５の出力データに基づきアンテナ選定処理におけるアンテナの選択が一巡したことを検出する一巡検出回路５２６と、レジスタ５２４の出力データを第１プリセット時においてのみシフトレジスタ５２５にパラレル転送してシフトレジスタ５２５の保持内容を強制的に書き換えさせるための４ビット対応ＡＮＤゲート群５２７とを含んでいる。
【００３４】
さらにアンテナ切替制御回路５１２は、シフトレジスタ５２５の出力データを第２プリセット時においてのみレジスタ５２４にパラレル転送してレジスタ５２４の保持内容を強制的に書き換えさせるための４ビット対応ＮＡＮＤゲート群５２０を有する。
レジスタ５２４は、タイミングコントロール部５１１から発せられるアンテナ更新指令信号に応答して、保持部５２３からのアンテナ番号データの取り込みが可能とされるとともに、タイミングコントロール部５１１から発せられる第２プリセット指令信号に応答して、ＮＡＮＤゲート群５２０を介してシフトレジスタ５２５の出力アンテナ番号データの取り込みが可能とされる。
【００３５】
ここで注記するに、ＮＡＮＤゲート群５２０からは、シフトレジスタ５２５の出力データの論理が反転されたデータが出力されるが、レジスタ５２４は、それぞれ負論理のプリセット端子を有する４つのＤフリップフロップによって形成されかつＮＡＮＤゲート群５２０の出力データがこのプリセット端子に供給される構成を採用しているので、第２プリセット指令信号が発せられたときにはシフトレジスタ５２５の内容が論理反転されることなくレジスタ５２４に移されることとなる。
【００３６】
ＡＮＤゲート群５２７の各一方の入力には、タイミングコントロール部５１１からの第１プリセット指令信号が供給される。
一巡検出回路５２６は、アンテナ選定処理におけるアンテナの選択が一巡したことを検出するとその旨を示す一巡判定信号をタイミングコントロール部５１１に供給する。
【００３７】
タイミングコントロール部５１１はまた、切替回路５２９の切替制御信号を発生する。
さらにタイミングコントロール部５１１は、ＯＲ回路５Ｇ１を介してシフトレジスタ５２５に対しシフト指令信号を供給する。シフトレジスタ５２５は、このシフト指令信号に応答してその保持データをシフトさせるが、シリアル出力ビットデータが当該シフトレジスタのシリアル入力とされる循環型の構成を有している。
【００３８】
シフトレジスタ５２５に供給されるシフト指令信号は、ＡＮＤ回路５Ｇ２及びＯＲ回路５Ｇ１を通じた音声歪み検出回路３Ａからの歪み検出信号によっても発せられる。ＡＮＤ回路５Ｇ２の出力信号は、後述するループ検出回路にも供給されるが、ＡＮＤ回路５Ｇ２には後述するループ検出信号がＮＯＴ回路５Ｇ３を介して供給されており、ＡＮＤ回路５Ｇ２は当該ループ検出信号が有意高レベルとなったときには歪み検出信号を遮断し低レベルの信号をループ検出回路及びＯＲ回路５Ｇ１に供給する。
【００３９】
シフトレジスタ５２５にはまた、アンテナ切替器１からのアンテナ未接続情報が供給されておりこの情報に応じた動作態様を採る。シフトレジスタ５２５のパラレル出力データは、保持部５２３に送られる。
タイミングコントロール部５１１は、３２ｆHのマスタークロック信号及び上記ＱＶパルス信号が供給されており、ＱＶパルス信号によってアンテナ選定処理を起動しマスタークロック信号に基づいた所定のタイミングにて上述した各部の制御信号及び指令信号を発生する。
【００４０】
レジスタ５２３，５２４及び５２５は、それぞれ４ビット構成とされており、保持されるアンテナ番号データが、アンテナＡＮＴ1は“１０００"にて、アンテナＡＮＴ2は“０１００"にて、アンテナＡＮＴ3は“００１０"にて、アンテナＡＮＴ4は“０００１"にて示される。
以下、この回路の動作を詳述する。
【００４１】
【アンテナ選定処理動作】
最初に、アンテナ選定処理の具体的動作につき説明する。
先ず、各レジスタの内容につき一例を挙げると、当該アンテナ選定処理直前に接続されていたアンテナがアンテナＡＮＴ1 で、レジスタ５２４に“１０００"のデータが格納され、既に前回のアンテナ選定処理において第１プリセット指令信号が発せられてシフトレジスタ５２５にも“１０００"のデータが格納されているとする。また、切替回路５２９は、アンテナ選定処理前においてはレジスタ５２４の出力データを出力段５２８に中継する如く選択制御されており、出力段５２８は、かかる“１０００"のデータに対応するアンテナＡＮＴ1 を電気的に接続させるためのアンテナ切換信号ＳＥＬ１をアンテナ切替器１に供給しているものとする。
【００４２】
この状態でＱＶパルスが発せられると、タイミングコントロール部５１１は、ＱＶパルスの立ち上がりエッジに応答してバンク５２１に初期値として最大値をセットする。さらに、その直後には、切替回路５２９がシフトレジスタ５２５の出力データを出力段５２８に中継する如く選択制御される。但し、ここでは、切替回路５２９がレジスタ５２４の出力データからシフトレジスタ５２５の出力データへ選択を切り替えたとしても、データ“１０００"が出力段５２８に送られる点は変わらず、アンテナＡＮＴ1 は切替器１に電気的接続がなされたままとなる。
【００４３】
次いでタイミングコントロール部５１１は、図５に示されるように、時刻Ｔ1 にて有意となるサンプリングタイミング信号を発生し、Ａ／Ｄ変換器５１０は、かかるサンプリングタイミングでコンポジットビデオ信号のペデスタルレベルを取り込みかつそのＡ／Ｄ変換出力を判定回路５１３に送ることとなる。ここでバンク５２１には、最大値がセットされているので、コンパレータ５２２により、送られたＡ／Ｄ変換出力値はバンク出力値よりも小さいと判定され、ラッチ指示信号が発せられる。これに伴い、バンク５２１にはＡ／Ｄ変換器５１０からのディジタル値が記憶されるとともに、保持部５２３には、シフトレジスタ５２５の出力データ“１０００"が取り込まれる。
【００４４】
その後、タイミングコントロール部５１１は、図５に示されるように、時刻Ｔ2において切替回路５２９がデータ“００００"を選択出力するよう制御し、所定時間ｔmに亘って出力段５２８が全て論理値０のアンテナ切換信号ＳＥＬ１〜ＳＥＬ４を発生するようにする。これにより、切替器１と各アンテナとの電気的接続が全て解放されることとなる。
【００４５】
かかる全アンテナの解放に引き続いて、タイミングコントロール部５１１は、シフト指令信号を発生してシフトレジスタ５２５のデータを１ビット分シフトさせる。そうすると、シフトレジスタ５２５の保持内容は、“１０００"から“０１００"と変移する。そしてタイミングコントロール部５１１は、シフトレジスタ５２５の出力データを選択するよう切替回路５２９を制御する。従って、出力段５２８には、この“０１００"のデータが切替回路５２９を介して送られるので、出力段５２８は、かかる“０１００"のデータに対応するアンテナＡＮＴ2を電気的に接続させるためのアンテナ切換信号ＳＥＬ２を切替器１に供給することとなる。
【００４６】
このようにしてアンテナＡＮＴ2が選択されると、タイミングコントロール部５１１は、このアンテナＡＮＴ2によって得られるコンポジットビデオ信号のペデスタルレベルのサンプリングをなすべくＡ／Ｄ変換器５１０にサンプリングタイミング信号を供給する。これにより得られるＡ／Ｄ変換出力の値は、コンパレータ５２２によりバンク５２１に記憶された値と比較され、等しいかまたは小さければラッチ指示信号が発せられて当該Ａ／Ｄ変換出力の値がバンク５２１に記憶されかつ保持部５２３におけるアンテナ番号データの取込がなされる。このとき、シフトレジスタ５２５の保持データは、アンテナＡＮＴ2に対応する“０１００"となっており、保持部５２３には、このアンテナＡＮＴ2の番号が現在最良アンテナ識別情報として格納されることとなる。
【００４７】
これに対してコンパレータ５２２が、当該バンク記憶値よりもＡ／Ｄ変換出力値が大であるとの結果を得てラッチ指示信号が発せられない場合は、バンク５２１の更新及び保持部５２３へのアンテナ番号データのラッチは行われず、既に記憶しておいたアンテナＡＮＴ1によるペデスタルレベルの値及び当該アンテナＡＮＴ1の番号データがバンク５２１及び保持部５２３において残されたままとなる。
【００４８】
かかる判定回路５１３における比較動作及びその比較結果に基づくデータ取込動作が終了した後は、タイミングコントロール部５１１は、切替回路５２９がデータ“００００"を選択出力するよう制御し、再び所定時間ｔmに亘って出力段５２８が全て論理値０のアンテナ切換信号ＳＥＬ１〜ＳＥＬ４を発生しその間切替器１における各アンテナの解放がなされるようにする。
【００４９】
そしてこの全アンテナの解放制御の後に、タイミングコントロール部５１１は、レジスタ５２４の出力データ（“１０００"）が選択されるよう切替回路５２９を制御し、当該アンテナ選定処理開始直前に設定されていたアンテナ（本例の場合アンテナＡＮＴ1）の接続に戻すようにする。
以降の処理においても、次のアンテナＡＮＴ3及びその次のアンテナＡＮＴ4について、シフトレジスタ５２５のシフト動作、切替回路５２９の切替動作、Ａ／Ｄ変換器５１０のサンプリング動作並びに判定回路５１３の比較及びデータ取込動作がなされる。
【００５０】
アンテナＡＮＴ4についての判定回路５１３における比較及びデータ取込動作が終了すると、バンク５２１には当該アンテナ選定処理においてサンプリングしたペデスタルレベルうちの最も低いものが保持されるとともに、保持部５２３には、かかる最低ペデスタルレベル（良好な受信レベル）を呈したアンテナの番号データが格納されていることになる。
【００５１】
後述するように、本例の場合アンテナＡＮＴ4が選択されると、装備された全てのアンテナにつき選択が済んだことを示す一巡判定信号が一巡検出回路５２６から発せられる。
タイミングコントロール部５１１は、この一巡判定信号の発生後は、最良アンテナを選択確定する如き動作を司る。
【００５２】
すなわち、タイミングコントロール部５１１は、図５に示されるように、時刻Ｔ5において先ずこれまでと同様に切替器１における全アンテナの解放制御をなしてから、アンテナ更新指令信号を発生する。レジスタ５２４は、このアンテナ更新指令信号に応答して保持部５２３に格納されたアンテナ番号データを取り込む。そして、タイミングコントロール部５１１は、レジスタ５２４の出力データを切替回路５２９をして出力段５２８に転送せしめるよう制御する。
【００５３】
本例においては、当該アンテナ選定処理において保持部５２３に最終的に記憶されたアンテナ番号データが、図５に示されるようにアンテナＡＮＴ3に対応する“００１０"であれば、レジスタ５２４にこれが転送され、そして出力段５２８は、この“００１０"のデータに対応するアンテナ切換信号ＳＥＬ３を切替器１に供給することとなり、当該アンテナ選定処理によるアンテナＡＮＴ3の確定がなされる。以降、新たにＱＶパルスが発せられるまでこのアンテナＡＮＴ3の接続が継続されることとなる。
【００５４】
アンテナ選定処理の最終動作としては、第１プリセット指令信号がＡＮＤゲート５２７に供給され、確定されたアンテナ番号を示すレジスタ５２４の出力データがシフトレジスタ５２５に取り込まれ、次のアンテナ選定処理の準備がなされる。
なお、接続すべきアンテナの切換をなす前に必ず全てのアンテナの切替器１に対する電気的接続を解放しているのは、当該切換動作に係る回路素子の遅延等による複数アンテナの同時接続を回避するためである。
【００５５】
一巡検出回路５２６は、図６に示されるように、４つのＡＮＤゲート及び１つのＯＲゲートで構成することができる。
詳述すると、レジスタ５２４の先頭ビット出力とシフトレジスタ５２５の最終ビット出力とを入力とするＡＮＤゲート５４０と、レジスタ５２４の第２ビット出力とシフトレジスタ５２５の先頭ビット出力とを入力とするＡＮＤゲート５４１と、レジスタ５２４の第３ビット出力とシフトレジスタ５２５の第２ビット出力とを入力とするＡＮＤゲート５４２と、レジスタ５２４の最終ビット出力とシフトレジスタ５２５の第３ビット出力とを入力とするＡＮＤゲート５４３とが設けられ、さらにこれらゲートの出力を全て入力とする４入力ＯＲゲート５４４が設けられる。
【００５６】
したがって、レジスタ５２４に例えば“１０００"（アンテナＡＮＴ1）が格納されている状態からアンテナ選定処理が開始した場合、３度のシフト指令信号の発生によりシフトレジスタ５２５の保持データが“０００１"（アンテナＡＮＴ4）となり、シフトレジスタ５２５の最終ビット出力は論理値１を呈することとなる。
【００５７】
この論理値１のシフトレジスタ５２５の最終ビット出力はＡＮＤゲート５４０一方入力に供給されるとともに、ＡＮＤゲート５４０の他方入力には、このときレジスタ５２４が“１０００"を格納している故に、論理値１の当該レジスタ５２４の先頭ビット出力が供給される。これにより、ＡＮＤゲート５４０は、論理値１の出力信号を呈することとなり、これがＯＲゲート５４４を通じて一巡判定出力となる。他のＡＮＤゲート５４１〜５４３には、どれも論理値０の２入力が与えられることとなるので、これらのゲートからは論理値１の信号がＯＲゲート５４４に供給されない。
【００５８】
このように、一巡判定回路５２６は、レジスタ５２４が保持するアンテナ番号“１０００"（アンテナＡＮＴ1）よりも処理順序としては１つ前のアンテナ番号“０００１"（アンテナＡＮＴ4。次のアンテナはアンテナＡＮＴ1である）をシフトレジスタ５２５が保持したときに、有意の一巡判定出力（一巡判定信号）を呈するのである。
【００５９】
タイミングコントロール部５１１は、この論理値１となった一巡判定信号をもって当該アンテナ選定処理において全てのアンテナの評価が終了したことを検知することができる。
シフトレジスタ５２５のより具体的な構成例は、図７に示される。
図７において、シフトレジスタ５２５は、４つのＤフリップフロップ５３０〜５３３と、これらＤフリップフロップに対応して設けられる出力切換型スイッチ回路５３４〜５３７及びＯＲ回路５３ａ〜５３ｄとによって構成される。
【００６０】
スイッチ回路５３４〜５３７は、それぞれ２つの出力端子のうちの一方が、対応するＤフリップフロップのＤ入力と接続され、他方が、対応するＯＲ回路の一入力に接続される。
ＯＲ回路の他入力は、ＤフリップフロップのＱ出力と接続され、ＯＲ回路の出力端は、次のスイッチ回路の入力端と接続される。但し、終段ＯＲ回路５３ｄの出力は初段スイッチ回路５３４の入力端子と接続され、これにより循環型構成を実現している。
【００６１】
スイッチ回路５３４〜５３７の制御端には、アンテナ未接続情報信号が供給される。ＯＲ回路５３ａ〜５３ｄの出力は、シフトレジスタ５２５のパラレル出力データとして導出される。
このようなシフトレジスタ５２５の構成によれば、アンテナ未接続情報信号に応じてレジスタ段数が変更され、切替器１に結合されていない（使用されていない）アンテナがあったとしても適正なアンテナ選定処理が行われるようにしている。
【００６２】
例えば、アンテナＡＮＴ2が使用されていない場合は、スイッチ回路５３５にその旨を示す制御信号が供給され、スイッチ回路５３５のみがその入力信号を対応するＯＲ回路５３ｂを介して次の段のスイッチ回路５３６の入力に伝送する如く切り換えられる。これにより、データの“１０００"の次は“０１００"にはならず、“００１０"に変移させることができ、アンテナＡＮＴ2に関する処理を飛ばしてアンテナ選定処理や後述する音声ノイズ応答処理を行うことができる。
【００６３】
以上の説明から分かるように、ＱＶパルス発生前にアンテナＡＮＴ1が選択されていたときにアンテナ選定処理が実行され最終的にアンテナＡＮＴ3が選定された場合は、ＡＮＴ1→ＡＮＴ2→ＡＮＴ1→ＡＮＴ3→ＡＮＴ1→ＡＮＴ4→ＡＮＴ1→ＡＮＴ3という態様でアンテナの切り替えがなされることとなる。これは図５にも示す通りである。
この場合とは異なり、例えば図８の（１）に示されるように、ＱＶパルス発生前に例えばアンテナＡＮＴ3が選択されていた状態からアンテナ選定処理が実行され最終的にアンテナＡＮＴ2が選定された場合には、ＡＮＴ3→ＡＮＴ4→ＡＮＴ3→ＡＮＴ1→ＡＮＴ3→ＡＮＴ2→ＡＮＴ3→ＡＮＴ2という態様でアンテナの切り替えがなされる。すなわち本実施例は、アンテナ選定処理の開始直前に選択されていたアンテナをアンテナ選定処理において最初に選択するアンテナ（最初に受信レベルサンプリング対象のアンテナ）としており、この最初に選択されたアンテナから順に選択されていくようにしている。これにより、アンテナ選定処理の開始当初におけるペデスタルレベルのサンプリングのためにアンテナの切り換えがなされることはなく、アンテナ切替に伴う全体的なノイズ発生期間ｔnが短くて済むこととなる。
【００６４】
これに対し、アンテナ選定処理において最初に選択するアンテナを固定とした場合、例えば当該固定アンテナがＡＮＴ1である場合は、図８の（２）に示されるように、ＡＮＴ3→ＡＮＴ1→ＡＮＴ3→ＡＮＴ2→ＡＮＴ3→ＡＮＴ4→ＡＮＴ3→ＡＮＴ2という態様でアンテナの切り替えがなされる。従って、この場合は、ＱＶパルス発生前にかかる固定のアンテナＡＮＴ1が選択されていない限り、アンテナ選定処理の開始直後において必ずアンテナの切り換えがなされてしまう結果となる。そしてこれに伴い、図８（２）に示されるように、アンテナ切替に伴う全体的なノイズ発生期間ｔn´が上記（１）の場合に比して長くなってしまうのである。
【００６５】
かくして本実施例におけるアンテナ選定処理は、上記（１）の態様を採ることができるので、当該アンテナ選定処理における音声ノイズ発生期間を極力抑えることができることとなる。
なお、図８に示される時刻Ｔ1から時刻Ｔ5は、図５に示される時刻Ｔ1から時刻Ｔ5とそれぞれ対応し、時刻Ｔ1から時刻Ｔ4に対応づけられる処理は、アンテナ切替処理及びレベル検出（保持）処理に相当する。また、時刻Ｔ5に対応づけられる処理は、アンテナ確定処理に相当する。このようにアンテナ選定処理は、アンテナ切替処理とレベル検出（保持）処理とアンテナ確定処理とに分類されかつこれらの処理を含むものと言い得る。
【００６６】
【音声ノイズ応答処理動作】
図４の構成における音声ノイズ応答処理の動作につき説明する前に、ＡＮＤ回路５Ｇ２に供給される歪み検出信号を発生する音声歪み検出回路３Ａについて詳述する。
図９は、歪み検出回路３Ａの具体的な構成を示している。
【００６７】
図９において、歪み検出回路３Ａの前段として、ＦＭ検波回路３２から得られるコンポジット音声信号が供給される帯域通過フィルタ（ＢＰＦ）３Ａ１が設けられる。このＢＰＦ３Ａ１は、受信コンポジット信号におけるサブキャリアの高調波成分を通過させるようにその特性が設定されている。例えば、４次乃至６次の高調波が使用できる。
【００６８】
ＢＰＦ３Ａ１を通過した信号は、振幅検波回路３Ａ２に供給され、ここでいわゆるＡＭ復調が施されて、その復調出力が微分回路３Ａ３に供給される。微分回路３Ａ３は、かかる復調出力波形の立ち上がり成分を抽出し、その抽出成分を比較器３Ａ４の一方の入力端へ供給する。比較器３Ａ４の他方の入力端には、感度調整用の信号が供給され、これに応じたレベルの比較基準電圧ＶRが設定される。
【００６９】
比較器３Ａ４は、微分回路３Ａ３からの信号のレベルが基準電圧ＶRよりも大きいときにのみ高レベルとなる歪み検出信号を発生する。したがって歪み検出信号は、高低２つのレベルを担う信号となる。この歪み検出信号は、Ｄフリップフロップ３Ａ５により３２ｆHのクロック信号に同期化されて出力されることとなる。
【００７０】
かかる構成において、微分回路３Ａ３は、音声信号の歪み成分の立ち上がり、すなわち音声信号の歪み成分の急峻な増大変化を検出することとなるので、歪みの検出を遅延なく行うことができる。また、局間ノイズのような連続性のノイズには反応しない歪み検出信号を得ることができる。
このようにして得られる歪み検出信号は、ＡＮＤ回路５Ｇ２に供給され、後述されるループ検出信号が低レベルである間ＡＮＤ回路５Ｇ２及びＯＲ回路５Ｇ１を通じてシフトレジスタ５２５へのシフト指令信号となる。
【００７１】
この歪み検出信号によるシフト指令信号は、先述したフィールド毎に実行されるアンテナ選定処理とは異なり、随時生じ得る音声信号の大なる歪みに呼応してアンテナ切替処理を起動させるものである。図４に示されるアンテナ切替制御回路５１２においては、かかるシフト指令信号を用いることにより、現在切替器１に電気的に接続されているアンテナの次の番号のアンテナに切り替える動作が導かれる。
【００７２】
すなわち、歪み検出信号によるシフト指令信号が発生すると、シフトレジスタ５２５はその保持データを１ビット分シフトさせる。例えば、選択されているアンテナがアンテナＡＮＴ1でシフトレジスタ５２５の保持データが“１０００"であるときに、受信状態の悪化により音声信号が歪んだことによって歪み検出信号が発せられると、シフトレジスタ５２５の保持データは“０１００"となる。そしてまた歪み検出信号が発せられれば、シフトレジスタ５２５の保持データはさらに進んで“００１０"となる。
【００７３】
タイミングコントロール部５１１は、このようなシフトレジスタ５２５の保持データの変更（シフト）の度に、第２プリセット指令信号を発生し、ＮＡＮＤ回路５２０をしてシフトレジスタ５２５の保持データをレジスタ５２４に転送するよう制御せしめる。また、少なくともこのシフトレジスタ５２５からレジスタ５２４へのデータ転送終了直後には、タイミングコントロール部５１１は、切替回路５２９をしてレジスタ５２４のデータを出力段５２８に送る如く制御する。
【００７４】
したがって、この例では、歪み検出信号に応答してＡＮＴ1→ＡＮＴ2→ＡＮＴ3→ＡＮＴ4→ＡＮＴ1という順にアンテナの切替器１に対する電気的接続が切り替えられるのである。
もしもアンテナＡＮＴ3に切り替えた後にアンテナＡＮＴ3による受信状態が良好で歪み検出信号が発せられない場合は、シフトレジスタ５２５及びレジスタ５２４の保持データは変更されず、アンテナＡＮＴ3の切替器１に対する電気的接続は維持される。但し、その後のＱＶパルスの発生により、上述したアンテナ選定処理が実行されるので、かかるアンテナＡＮＴ3の接続が解除されることになる。
【００７５】
かかる音声歪みに応じて選択されたアンテナは、前回のアンテナ選定処理により確定されたアンテナとは異なる可能性がある。したがって、音声歪みにより選択されたアンテナの番号データ（本例ではアンテナＡＮＴ3の番号データ）がレジスタ５２４及びシフトレジスタ５２５に保持された初期状態からアンテナ選定処理が開始されることになる。
【００７６】
なお、ここで述べた音声応答処理動作においても、図７において説明した未接続アンテナへの対処がなされる。
【００７７】
【映像ダイバーシティ／音声ダイバーシティ】
上記アンテナ選定処理による第１ダイバーシティは、再生画像の品質を最良とするべく垂直同期タイミングに基づくＱＶパルスによって起動され、コンポジットビデオ信号が担う映像の単位であるフィールド毎に行われるものである。故に、このダイバーシティは、再生映像に同期したダイバーシティ（以下、映像ダイバーシティと呼ぶ）と言い得る。
【００７８】
これに対し、上記音声ノイズ応答処理による第２ダイバーシティは、再生音声の品質を最良とするべく再生音声に歪みが生じる度に起動される。すなわちこれは、映像ダイバーシティの如き周期性はなくフィールドに拘わらずに随時行われるものである。故に、このダイバーシティは、再生音声の悪化に応答したダイバーシティ（以下、音声ダイバーシティと呼ぶ）と言い得る。
【００７９】
これら映像ダイバーシティ及び音声ダイバーシティの２つを単純に組み合わせた場合、音声ダイバーシティによりアンテナを切り替えた直後に垂直同期タイミングが到来してＱＶパルスが発生すると、映像ダイバーシティにおいて選択される再生映像にとって良好なアンテナが音声ダイバーシティにおいて選択されたアンテナと異なる可能性がある。例えば、音声ダイバーシティにおいてアンテナＡＮＴ1が選択された後の映像ダイバーシティにおいて最終的にアンテナＡＮＴ3が選択され、その後短時間のうちに音声ダイバーシティがなされて再度アンテナＡＮＴ1が選択されることが考えられる。これでは、音声に影響を与えるマルチパスが効果的に解消されないことになる。
【００８０】
そこで本実施例には、音声ダイバーシティによってアンテナを切り替えた後は映像ダイバーシティの動作を制限するような態様が採用される。より詳しくは、音声系トリガーたる上記歪み検出信号によるアンテナ切替直後は、垂直同期検出すなわちＱＶパルスに基づく映像ダイバーシティ動作を禁止するようにしている。
【００８１】
これを実現するダイバーシティ整合回路の一例が図１０に示されている。
図１０において、ダイバーシティ整合回路は、ＱＶパルスをトリガー入力とし高レベル信号をＤ入力とするＤフリップフロップ７０１を具備する。Ｄフリップフロップ７０１のＱ出力は、次段Ｄフリップフロップ７０２のＤ入力に供給される。Ｄフリップフロップ７０２のトリガー入力には、ＮＯＴ回路７０ＮによるＱＶパルスの反転信号が供給され、そのＱ出力信号は、ＡＮＤ回路７０３の一方の入力へ供給される。
【００８２】
Ｄフリップフロップ７０１及び７０２は、それぞれ音声歪み検出回路３Ａからの歪み検出信号がリセット入力として供給される。ＡＮＤ回路７０３の他方の入力には、ＱＶパルスが供給される。ＡＮＤ回路７０３の出力からは、改変されたＱＶパルスとしてのＱＶ2 パルスが発せられる。ＱＶ2 パルスは、これまで説明した各回路に用いられるＱＶパルスに代わって使用される。
【００８３】
このような構成のダイバーシティ整合回路の各部動作波形を示したのが図１１である。
図１１において、音声歪み検出信号が有意すなわち高レベルとならない状況では、Ｄフリップフロップ７０１はＱＶパルスの立ち上がりでトリガーが掛けられセット状態となり、Ｄフリップフロップ７０２はＱＶパルスの立ち下がりでトリガーが掛けられセット状態となる。Ｄフリップフロップ７０２がセット状態にある間は、ＡＮＤ回路７０３のゲートを開くので、ＱＶパルスをそのままＱＶ2 パルスとして出力させることとなる。
【００８４】
これに対し、音声歪み検出信号が高レベルとなった場合、Ｄフリップフロップ７０１及び７０２は強制的にリセット状態となるので、ＡＮＤ回路７０３のゲートが閉じられ、ＱＶパルスの出力が遮断（マスク）される。これにより、歪み検出信号に続いて発せられるべきＱＶ2パルスは発せられず映像ダイバーシティ動作は禁止されるとともに、歪み検出信号に応答した音声ダイバーシティ動作がなされることとなる。
【００８５】
但し、歪み検出信号の発生直後のＱＶパルスによって、Ｄフリップフロップ７０１及び７０２は、再び順番にセット状態となるので、ＱＶパルスをそのままＱＶ2パルスとして出力させることが許容される。
ＱＶパルスの周期は、１フィールドに対応する約１６．６ｍｓｅｃであるので、本実施例において映像ダイバーシティが禁止される期間は、音声歪み検出信号の発生後すなわち音声ダイバーシティによるアンテナ切替後の約１６．６ｍｓｅｃ乃至３３ｍｓｅｃに亘る期間は映像ダイバーシティが禁止される。そしてこの期間中は、音声歪みの原因となる例えばマルチバスの影響が低減された音声重視の再生がなされることとなる。
【００８６】
なお、本実施例においては、音声ダイバーシティを実行してから約１６．６ｍｓｅｃ乃至３３ｍｓｅｃの期間に亘って映像ダイバーシティを禁止すれば実用上十分であるとして音声ダイバーシティ実行直後の１回分の映像ダイバーシティ動作のみを禁止したが、必要ならば、音声ダイバーシティが実行されてから２回分の映像ダイバーシティを禁止するように構成しても良いし、さらに長い禁止期間を設けても良い。
【００８７】
【ループ検出】
上述したように、音声ダイバーシティと映像ダイバーシティの２つの機能を備えると、音声ダイバーシティと映像ダイバーシティとで互いに相反するアンテナが選択される場合、２つの異なるアンテナが交互に繰り返され続ける状態（以下、ループと称する）が発生する。
【００８８】
例えば、映像ダイバーシティによりアンテナＡＮＴ1が選択され、音声ダイバーシティによりアンテナＡＮＴ2が選択される場合、ＡＮＴ1→ＡＮＴ2→ＡＮＴ1→ＡＮＴ2→ ……といった順にアンテナが選択され、映像重視の情報再生と音声重視の情報再生とが交互になされ、結果的に再生映像及び再生音声の双方において周期的にノイズが発生する状態が続いてしまうこととなる。
【００８９】
この様子を示したのが図１２である。
図１２において、ｍは映像ダイバーシティにより選択されるアンテナの番号を示しており、ｍ＋１は音声ダイバーシティにより選択されるアンテナの番号（ここでは音声ダイバーシティで１回のアンテナ切替があった例を挙げている）を示している。
【００９０】
本実施例は、このようなループの発生を検出し、ループを断つ制御を行う。より詳しくは、当該ループが検出されると音声ダイバーシティを一定時間だけ禁止し、再生映像の高品質化のみを追求するようにしている。
図１３は、ループ検出回路の構成例を示している。
図１３において、ループ検出回路５Ｘ０は、保持部５２３の出力ビットデータをそれぞれＤ入力としタイミングコントロール部５１１からのアンテナ更新指令信号（レジスタ５２４に供給されるものと同じ）によりトリガーが掛けられる４つのＤフリップフロップからなる第２保持部５Ｘを有する。
【００９１】
ループ検出回路５Ｘ０はまた、第２保持部５Ｘにおける各Ｄフリップフロップに対応し保持部５２３の出力データ及びＤフリップフロップ５ＸのＱ出力信号をそれぞれ入力とするＥＸＯＲ回路群５Ｘ１と、ＥＸＯＲ回路群５Ｘ１の各出力を入力とする４入力ＮＯＲ回路５Ｘ２とを有する。
さらに、ループ検出回路５Ｘ０は、アンテナ更新指令信号を反転するＮＯＴ回路５Ｘ８と、この反転出力を一入力とし負論理クリア信号ＣＬＲを他入力とするＡＮＤ回路５Ｘ９と、ＡＮＤ回路５Ｘ９の出力信号を反転リセット入力とし高レベル信号をＤ入力、ゲート５Ｇ２（図４参照）の出力信号をトリガー入力とするＤフリップフロップ５Ｘ５と、ＮＯＲ回路５Ｘ２の出力信号を一入力としＤフリップフロップ５Ｘ５のＱ出力信号を他入力とするＡＮＤ回路５Ｘ６と、ＡＮＤ回路５Ｘ６の出力信号をＤ入力としタイミングコントロール部５１１から発せられるループ検出タイミング信号をトリガー入力とする初段Ｄフリップフロップ５Ｘ３と、ＮＯＲ回路５Ｘ２の出力信号，Ｄフリップフロップ５Ｘ３のＱ出力信号及Ｄフリップフロップ５Ｘ５のＱ出力信号をそれぞれ入力とする３入力ＡＮＤ回路５Ｘ７と、ＡＮＤ回路５Ｘ７の出力信号をＤ入力としループ検出タイミング信号をトリガー入力とする後段Ｄフリップフロップ５Ｘ４とを有する。
【００９２】
Ｄフリップフロップ５Ｘ４のＱ出力からは、高レベルで有意となるループ検出信号が発生され、ＮＯＴ回路５Ｇ３を介してＡＮＤ回路５Ｇ２（ともに図４参照）に供給される。
このループ検出回路５Ｘ０は、音声ダイバーシティによるアンテナ選択動作を間に挟んで映像ダイバーシティにより所定回数連続して同じアンテナが選択されたことを検出し、高レベルのループ検出信号を発生する。
【００９３】
第２保持部５Ｘは、アンテナ切替制御回路５１２におけるレジスタ５２４が判定回路５１３における保持部５２３から転送されるアンテナ番号データに更新されるタイミングで同様に更新される。すなわち保持部５２３は、先述したように、アンテナ選定処理において最も評価の高いアンテナの番号データを当該アンテナ選定処理の最後に保持しており、第２保持部５Ｘは、これと同じ番号データを当該アンテナ選定処理の最後に取り込む。
【００９４】
これにより、映像ダイバーシティとしての１のアンテナ選定処理後に音声ダイバーシティが行われたり或いは次のアンテナ選定処理により保持部５２３の内容が変わっても、当該１のアンテナ選定処理において選択確定されたアンテナ番号データを第２保持部５Ｘに保持しておくことができる。詳述すれば、音声歪み検出信号によるシフト指令信号がシフトレジスタ５２５の保持データをシフトさせそのシフトされたデータを第２プリセット指令信号がレジスタ５２４に取り込ませた場合でも、保持部５２３及び第２保持部５Ｘの内容は変化しない。また、新たにアンテナ選定処理が開始されても、保持部５２３の内容は変わるものの、アンテナ更新指令信号が発せられるまでは前回のアンテナ選定処理において選択確定されたアンテナ番号データを第２保持部５Ｘに保持しておくことができるのである。
【００９５】
例えば、アンテナ選定処理の終了時に、保持部５２３が“１０００"を保持していれば、アンテナ更新指令信号への応答動作によってレジスタ５２４及びシフトレジスタ５２５にも第２保持部５Ｘにも“１０００"が格納されている筈である。その後に音声歪み検出信号によるシフト指令信号が発せられると、レジスタ５２４及び５２５は、“０１００"へと変移するが、第２保持部５Ｘの保持データは“１０００"のままである。
【００９６】
第２保持部５Ｘの保持データは、ＥＸＯＲ回路群５Ｘ１において保持部５２３の保持データとのビット毎の一致検出がなされ、ＮＯＲ回路５Ｘ２において全ビットについての一致判定がなされる。すなわち、保持部５２３の保持データは、今回のアンテナ選定処理によって最良と評価され選択確定されたアンテナの番号データであり、第２保持部５Ｘの保持データは、前回のアンテナ選定処理によるものであり、両データの一致／不一致判定がなされるのである。
【００９７】
かかる一致／不一致判定の適正なタイミングは、第２保持部５Ｘにアンテナ更新指令が発せられる直前のタイミングとすることができ、厳密には、保持部５２３において今回のアンテナ選定処理における最良アンテナの番号データが確定した時点からアンテナ更新指令が発せられる直前までの期間に相当する。かかる期間中の所定タイミングにおいて、タイミングコントロール部５１１は、ループ検出タイミング信号を発生する。
【００９８】
一方、Ｄフリップフロップ５Ｘ５は、通常、グローバルリセット（いわゆるパワーオンリセット等）としてのクリア信号ＣＬＲの発生時以外はアンテナ更新指令信号の発生に応答してリセットされるとともに、ゲート５Ｇ２を通じた歪み検出信号によってトリガーが掛けられてセット状態となる。すなわち、Ｄフリップフロップ５Ｘ５は、アンテナ選定処理が終了する毎に発生するアンテナ更新指令信号によってアンテナ選定処理の終了後にリセットされ、そのリセット後に発生する歪み検出信号によってセット状態となるものである。換言すれば、Ｄフリップフロップ５Ｘ５は、アンテナ選定処理の終了後における歪み検出信号の発生を検知し当該発生を検知した場合にのみセット状態となり高レベルのＱ出力信号をＡＮＤ回路５Ｘ６の他方の入力に供給する。
【００９９】
したがってＡＮＤ回路５Ｘ６は、上記一致／不一致判定結果を担うＮＯＲ回路５Ｘ２の低／高レベル出力と、Ｄフリップフロップ５Ｘ５のＱ出力とに基づき、前回のアンテナ選定処理により確定された最良アンテナ番号（例えば、ｍ）と今回のアンテナ選定処理により確定された最良アンテナ番号とが一致しかつ前回のアンテナ選定処理の終了後に歪み検出信号が発生した場合にのみ高レベルとなる出力信号を発生する。すなわち、ＡＮＤ回路５Ｘ６は、アンテナ番号が（ｍ）→（ｍ＋１）→（ｍ）という変遷を辿ったこと（第１態様）を検知して高レベル信号を発生することとなる。
【０１００】
もしも前回アンテナ番号と今回アンテナ番号とが不一致で、例えば（ｍ）→（ｍ＋１）→（ｍ＋２）のような変遷を呈したとすると、ＮＯＲ回路５Ｘ２は一致判定出力（低レベル出力）を発せず、また、前回アンテナ番号と今回アンテナ番号とが一致したとしても前回のアンテナ選定処理の終了後に歪み検出信号が発生しておらず、例えば（ｍ）→（ｍ）のような変遷を呈したとすると、リセット状態のままトリガーの掛けられなかったＤフリップフロップ５Ｘ５は低レベルのＱ出力を発生するので、ＡＮＤ回路５Ｘ６からは低レベル信号が発せられる。
【０１０１】
Ｄフリップフロップ５Ｘ３は、上述したようなループ検出タイミング信号によりトリガーが掛けられるので、かかる第１態様または非第１態様に対応する高レベル／低レベル信号を取り込んで保持することとなる。
ＡＮＤ回路５Ｘ７には、このＤフリップフロップ５Ｘ３に保持された第１態様か否かの情報と、ＮＯＲ回路５Ｘ２からの前回及び今回の確定アンテナ番号の一致／不一致判定出力情報と、Ｄフリップフロップ５Ｘ５のＱ出力による前回アンテナ選択処理後の歪み検出信号の発生／非発生の情報とが供給される。故に、ＡＮＤ回路５Ｘ７は、第１態様に引き続き前回及び今回の確定アンテナ番号が一致しかつ前回のアンテナ選定処理後において歪み検出信号が発生した場合にのみ高レベル信号を出力することとなる。すなわち、ＡＮＤ回路５Ｘ７は、前々回から今回の３つの連続するアンテナ選定処理による確定アンテナ番号の全一致と前々回のアンテナ選定処理後の歪み検出信号の発生及び前回のアンテナ選定処理後の歪み検出信号の発生とを検出して、例えばアンテナ番号が（ｍ）→（ｍ＋１）→（ｍ）→（ｍ＋１）→（ｍ）という変遷を辿ったこと（第２態様）を検知して高レベル信号を発生するのである。
【０１０２】
かかる第２態様によるＡＮＤ回路５Ｘ７からの高レベル信号は、Ｄフリップフロップ５Ｘ４において上記ループ検出タイミング信号に応答して取り込まれ、高レベルのループ検出信号となる。
かかる高レベルのループ検出信号は、図４に示されるように、ＮＯＴ回路５Ｇ３を介してＡＮＤ回路５Ｇ２のゲートを閉じて歪み検出信号の伝送を遮断せしめる。これにより、歪み検出信号によるシフトレジスタ５２５へのシフト指令信号を発することができない音声ダイバーシティ禁止状態となる。
【０１０３】
ループ検出タイミング信号は、アンテナ更新指令信号に先立って発せられ、１フィールドの周期を持つものであるので、かかる音声ダイバーシティ禁止状態は、１フィールド単位で継続されたり解除されたりすることとなる。付言すれば、少なくとも１フィールド相当期間に亘って音声ダイバーシティの禁止状態が続くこととなる。
【０１０４】
上記第２態様が判定できなかったときは、Ｄフリップフロップ５Ｘ４は、低レベルのループ検出信号を発生するので、ＡＮＤ回路５Ｇ２のゲートを開き歪み検出信号のシフトレジスタ５２５への伝送が可能となり、上記音声ダイバーシティ禁止状態が解除される。
なお、ここでは、音声ダイバーシティ禁止状態の継続期間の単位を１フィールド相当期間としたが、これに限定されることなく、適宜その単位を定めることも可能である。
【０１０５】
また、図１３においては、クリア信号ＣＬＲがＤフリップフロップ５Ｘ５のみをリセット状態にする如く説明したが、このようなクリア信号は、第２保持部５Ｘの各フリップフロップのみならず、Ｄフリップフロップ５Ｘ３及び５Ｘ４の初期リセット信号として使用することもできる。
【０１０６】
【改変態様】
以上説明した態様の他に、次のような改変をなしてよりきめ細やかなダイバーシティの制御を行うことができる。
第１に、受信状態の悪化時において映像重視とするべく音声系の感度を抑制する態様が導かれる。
【０１０７】
これは、受信状態の悪化を検出した際に、図９に示される音声歪み検出回路３Ａにおける比較回路３Ａ４の基準電圧ＶRを変更したり、微分回路３Ａ３のゲインを変更したりすることによって達成することができる。
第２に、音声コンポジット信号においてサブキャリア（ステレオ放送または２か国語放送に対応する）がある時には、音声系の感度を上げる態様や、この時のみ音声系を有効とする態様が導かれる。これらは、サブキャリアがマルチパスの影響を受けやすいことに対処するものである。
【０１０８】
第３に、ナビゲーションなどの外部入力の映像を出力するときには、映像系を無効とする態様や、この態様と共に或いはこれに代用して音声系の感度を上げる態様が挙げられる。
映像系を無効にする態様は、ＱＶパルスの後段への出力を制限するゲートを設けることで達成することができる。
【０１０９】
また、音声系を無効にする手法は、これまでの説明から分かるように、歪み検出信号の後段への出力を制限するゲートを使用すれば良い。
次に、本実施例におけるクランプ回路４０及びこれの制御態様について説明する。
図１４は、クランプ回路４０の構成例を示しており、ＡＭ検波回路２２の出力信号は、クランプ用コンデンサ４０８を介してｎチャンネルＭＯＳトランジスタ４０４のゲートに供給される。コンデンサ４０８とＭＯＳトランジスタ４０４との接続線にはｎチャンネルＭＯＳトランジスタ４０１のドレインが接続され、ＭＯＳトランジスタ４０１のソースには電源ラインが接続される。
【０１１０】
コンデンサ４０８とＭＯＳトランジスタ４０４との接続線はまた、出力端に導かれる。さらに、この接続線は、定電流源４０９を介して接地される。
ｎチャンネルＭＯＳトランジスタ４０１のゲートは、ｎチャンネルＭＯＳトランジスタ４０６のソースに接続される。ＭＯＳトランジスタ４０６は、そのゲートにアンテナ切換信号が供給され、ソースが接地される。このアンテナ切換信号は、制御部５から発生されるものであり、上記アンテナ選定処理においてアンテナを切り替えるタイミングで、厳密にはアンテナの切り替わり途中に対応したタイミングで有意となる。
【０１１１】
ＭＯＳトランジスタ４０４は、ｎチャンネルＭＯＳトランジスタ４０５とともに当該ＭＯＳトランジスタ４０５と対をなして平衡差動アンプ回路の主要部を担っている。
ＭＯＳトランジスタ４０４及び４０５のソースは共通接続され、この共通接続線は定電流源４０７を介して接地される。ＭＯＳトランジスタ４０５のゲートには、電圧源４１０によって発生されたクランプ電圧Ｖc が供給される。ＭＯＳトランジスタ４０４のドレインは、ｐチャンネルＭＯＳトランジスタ４０２を介して給電され、これと対称的にＭＯＳトランジスタ４０５のドレインも、ｐチャンネルＭＯＳトランジスタ４０３を介して給電される。ＭＯＳトランジスタ４０２とＭＯＳトランジスタ４０３は、互いにそのゲートが接続され、この接続線は、ＭＯＳトランジスタ４０５のソースと接続される。
【０１１２】
ＭＯＳトランジスタ４０４のドレインは、かかる差動アンプ回路の出力として導出され、ＭＯＳトランジスタ４０１のゲートに接続される。
かかる構成のクランプ回路４０は、アンテナ切換信号が供給されこれに応じたＭＯＳトランジスタ４０１の制御をなすｎチャンネルＭＯＳトランジスタ４０６の構成に主たる特徴を有する。
【０１１３】
クランプ回路４０は、入力のコンポジットビデオ信号におけるシンクチップ電位をクランプ電圧Ｖc に維持するように動作する。
詳述すると、入力がクランプ電圧Ｖc より低いときには、これに応じた信号がＭＯＳトランジスタ４０１のゲートに供給されて当該トランジスタ４０１がオンし、クランプ用コンデンサ４０８に電流が流れ込む。逆に、入力がクランプ電圧Ｖcより高いときにはＭＯＳトランジスタ４０１がオフとなり、コンデンサ４０８から定電流源４０９を介して電流が流れ出る。
【０１１４】
このようなコンデンサ４０８に対する電流供給及び吸い込みをなすクランプ制御を連続的に行うことで、入力のコンポジットビデオ信号のシンクチップ電位はクランプ電圧Ｖcに維持される。
ＭＯＳトランジスタ４０６は、このようなクランプ制御を一時的に中止することが可能なように設けられている。この一時中止の目的は、切り替えたアンテナの受信レベルが良好な場合に波形整形回路４１における同期分離の処理に与える悪影響を抑制するためである。換言すれば、ＭＯＳトランジスタ４０６及びその接続を除く回路部分は、シンクチップの直流電位を一定に保つクランプ手段に相当し、ＭＯＳトランジスタ４０６は、このクランプ手段を不動作にする機能を担っている。
【０１１５】
すなわち、上述した如きアンテナ選定処理などにおいて受信レベルの確認（評価）のために切り替えたアンテナがそれまで設定されていたアンテナより良好な受信レベルを示す場合、アンテナ切替中のコンポジットビデオ信号におけるシンクチップレベルは切替前のそれより下がることになる。この電位の動きに追従してクランプ制御が行われると、ＭＯＳトランジスタ４０１よりコンデンサ４０８に電流が流れ込みコンデンサ４０８の電位は上昇する。そうすると、元のアンテナに再度切り替えた時には、シンクチップの電位は、波形整形回路４１後段系列に配置されている同期分離用の比較器８３のスレッショルドレベルを超えるレベルに到達することが有り、これでは正確な同期分離が行えなくなってしまう。（図１５参照）
そこで、本実施例では、アンテナを切り替えている途中の間はクランプ制御を中止するようにＭＯＳトランジスタ４０６を制御する。
【０１１６】
具体的には、アンテナ切替中は高レベルを示すゲート制御信号がＭＯＳトランジスタ４０６に入力される。このゲート制御信号を受けてＭＯＳトランジスタ４０６はオンし、ＭＯＳトランジスタ４０１がオフとなる。
ＭＯＳトランジスタ４０１がオフとなると、コンデンサ４０８へ電流が流れなくなるので、上述したようなスレッショルドレベルを超えるシンクチップ電位の上昇を抑制することができ、結果として、より正確な同期分離が可能となるのである。（図１６参照）
そしてこのように正確な同期分離が達成されることによって、これまで説明したダイバーシティ動作のための処理を確実に実行することができるのである。
【０１１７】
なお、上記実施例においては、コンポジットビデオ信号のレベル検出に基づいて受信アンテナを切り替えることにより受信モードを変更させる空間ダイバーシティ動作を挙げたが、他の手法によって受信モードを変更させて最適受信モードを選択するダイバーシティ動作に適用しても良い。
また、上記実施例においては、ＮＴＳＣ方式のテレビジョン信号に対応する構成を説明したが、本発明は、他の方式のテレビジョン信号に対応する構成にも適用可能である。
【０１１８】
この他にも、上記実施例においては種々の手段を限定的に説明したが、当業者の設計可能な範囲にて適宜改変することも可能である。
【０１１９】
【発明の効果】
以上詳述したように、本発明によれば、音声を含めた再生情報全体の実際の視聴者に対する品質面において最適なダイバーシティ動作を行うことのできるテレビジョン受信機を提供することができる。
【図面の簡単な説明】
【図１】本発明による一実施例のダイバーシティ型テレビジョン受信機の概略的構成を示すブロック図である。
【図２】図１の受信機におけるＱＶパルス生成回路の構成を示すブロック図である。
【図３】図２のＱＶパルス生成回路の動作を示すタイムチャートである。
【図４】図１の受信機における制御部に形成されるアンテナ選定処理回路の構成を示すブロック図である。
【図５】図４のアンテナ選定処理回路の映像ダイバーシティにおける動作を示すタイムチャートである。
【図６】図４のアンテナ選定回路における一巡判定回路の構成例を示すブロック図である。
【図７】図４のアンテナ選定処理回路におけるアンテナ切替用レジスタの構成を示すブロック図である。
【図８】本実施例におけるアンテナ選定処理の特徴的な動作を示すタイムチャートである。
【図９】図１の受信機における音声歪み検出回路の具体的構成例を示すブロック図である。
【図１０】図１の受信機におけるダイバーシティ整合回路の具体的構成例を示すブロック図である。
【図１１】図１０のダイバーシティ整合回路の動作を示すタイムチャートである。
【図１２】映像ダイバーシティと音声ダイバーシティとを組み合わせたときに生じ得るアンテナ選択のループ現象を説明するための図である。
【図１３】図１の受信機におけるループ検出回路の具体的な構成例を示すブロック図である。
【図１４】図１の受信機におけるクランプ回路の具体的構成例を示すブロック図である。
【図１５】クランプ回路の不具合を説明するためのタイムチャートである。
【図１６】図１８のクランプ回路の特徴的動作を示すタイムチャートである。
【符号の説明】
ＡＮＴ1〜ＡＮＴ2  受信アンテナ
１  切替器
２  ビデオ信号再生系
２１  映像中間周波増幅器
２２  ＡＭ検波回路
２ｘ  ＣＲＴ
３  音声信号再生系
３１  音声中間周波増幅器
３２  ＦＭ検波回路
３Ａ  歪み検出回路
３ｘ  スピーカ
４０  クランプ回路
４１  波形整形回路
５  制御部
６０  ＬＰＦ
６１  位相比較器
６２  ＬＰＦ
６３  ＶＣＯ
６４  分周回路
６５  クロック生成回路
８１  反転回路
８２  ＬＰＦ
８３  レベル比較器
５０  ＱＶパルス生成回路
５００〜５０３  Ｄフリップフロップ
５０５，５０６  ＮＯＴ回路
５０４  ＡＮＤ回路
５０９  Ｄフリップフロップ群
５１０  Ａ／Ｄ変換器
５１１  タイミングコントロール部
５１３  判定回路
５１２  アンテナ切替制御回路
５２１  バンク
５２２  コンパレータ
５２３  保持部
５２４  レジスタ
５２７  ＡＮＤ回路群
５２６  一巡判定回路
５２５  シフトレジスタ
５２９  スイッチ回路
５２８  出力段
５２０  ＮＡＮＤ回路群
５Ｇ１  ＯＲ回路
５Ｇ２  ＡＮＤ回路
５Ｇ３  ＮＯＴ回路
５４０〜５４３  ＡＮＤ回路
５４４  ＯＲ回路
５３４〜５３７  スイッチ回路
５３０〜５３３  Ｄフリップフロップ
５３ａ〜５３ｄ  ＯＲ回路
３Ａ１  ＢＰＦ
３Ａ２  振幅検波回路
３Ａ３  微分回路
３Ａ４  比較器
５Ａ５  Ｄフリップフロップ
７０１，７０２  Ｄフリップフロップ
７０Ｎ  ＮＯＴ回路
７０３  ＡＮＤ回路
５Ｘ０  ループ検出回路
５Ｘ  第２保持部
５Ｘ１  ＥＸＯＲ回路群
５Ｘ２  ＮＯＲ回路
５Ｘ３，５Ｘ４，５Ｘ５  Ｄフリップフロップ
５Ｘ７，５Ｘ９  ＡＮＤ回路
５Ｘ８  ＮＯＴ回路
４０１，４０４，４０５，４０６  ｎチャンネルＭＯＳトランジスタ
４０２，４０３  ｐチャンネルＭＯＳトランジスタ
４０９，４０７  定電流源
４１０  定電圧源
【図１】
0003681147.tif 000002
【図２】
0003681147.tif 000003
【図３】
0003681147.tif 000004
【図４】
0003681147.tif 000005
【図５】
0003681147.tif 000006
【図６】
0003681147.tif 000007
【図７】
0003681147.tif 000008
【図８】
0003681147.tif 000009
【図９】
0003681147.tif 000010
【図１０】
0003681147.tif 000011
【図１１】
0003681147.tif 000012
【図１２】
0003681147.tif 000013
【図１３】
0003681147.tif 000014
【図１４】
0003681147.tif 000015
【図１５】
0003681147.tif 000016
【図１６】
0003681147.tif 000017